(57)【特許請求の範囲】
【請求項１】
表示器を、当該表示器の表示面を開放した状態で覆って保持し、他の部材に固定するための保持部材において、
弾性材料にて一体成型され、前記表示器を保持したとき、前記表示面に対応する位置を開口させて、表示面周縁部を覆う枠部と、
前記表示器の背面に対応する位置の周縁部の少なくとも一部及び前記表示器の側面に対応する位置の少なくとも一部を保持する保持部と、を備え、
前記保持部には切欠き部及び他の開口部が形成され、
前記枠部にはガイド部が設けられ、
前記表示器の表示面の平面方向に沿って当該表示器を挿入する際に、前記ガイド部が、前記切欠き部を中心に前記表示面を含む平面から起き上がるように傾動させることで、前記ガイド部と前記他の開口部とで、前記表示器を挿入するための挿入部を構成する
ことを特徴とする保持部材。
【請求項２】
前記枠部は、前記表示面周縁部を覆う位置に、前記表示面周縁部を囲繞するリブ部を備える請求項１に記載の保持部材。
【請求項３】
前記リブ部は、前記平面方向において、前記切欠き部を超えない表示器側に配置されていることを特徴とする請求項２に記載の保持部材。
【請求項４】
前記保持部材には、表示器を装着した状態で他の部材に係合して固定する係合部が形成されることを特徴とする請求項１乃至請求項３の何れか一項に記載の保持部材。
【請求項５】
請求項１乃至請求項４の何れか一項に記載の保持部材と、
前記保持部材に装着される表示器と、
前記保持部材が内部に固定される筐体と
を備えることを特徴とする携帯電子機器。
【請求項６】
前記表示器は、自発光素子型の表示器、もしくは、バックライトを備える表示器であることを特徴とする請求項５に記載の携帯電子機器。
【請求項７】
前記筐体に内包され、前記表示器と異なる第二の表示器をさらに備え、
前記第二の表示器の表示面の背面側には、板金部材が取付けられ、
前記板金部材は、前記第二の表示器の取付けられる面の反対側の面に、固定爪が立設され、
前記保持部材は、前記固定爪に取付けられて固定される
ことを特徴とする請求項５または請求項６に記載の携帯電子機器。
【発明の詳細な説明】
【技術分野】
【０００１】
この発明は、表示器を保持する保持部材および表示器を備えた携帯電子機器に関するものである。
【背景技術】
【０００２】
携帯電話機の中には、表示器としてメイン表示器、さらにその他に比較的小さなサブ表示器を設けたものがあり、それぞれが携帯電話機の筐体の表裏面に配設している。
この表示器の表示面は常に利用者の目に触れる部分であるため、内面への塵埃の侵入を防止する必要があるが、従来はこのような表示器の表示面への防塵を考慮して表示面の周辺にスポンジ等で形成されたダストシートを設け、表示面と筐体との隙間を閉塞する構造となっている（例えば、特許文献１参照）。
【特許文献１】特開平９−２８３９５０号公報
【発明の開示】
【発明が解決しようとする課題】
【０００３】
しかしながら、前記従来の構造ではダストシートを設けるために携帯電子機器が厚くなり、部品点数が増えるため、小型化、軽量化に逆行するという課題がある。
【０００４】
そこで、この発明は、部品点数を減らし、携帯電子機器を薄く、小型化することができる保持部材および表示器を備えた携帯電子機器を提供するものである。
【課題を解決するための手段】
【０００５】
上記の課題を解決するために、以下の手段を採用した。
本発明に係る保持部材は、表示器を、当該表示器の表示面を開放した状態で覆って保持し、他の部材に固定するための保持部材において、弾性材料にて一体成型され、前記表示器を保持したとき、前記表示面に対応する位置を開口させて、表示面周縁部を覆う枠部と、前記表示器の背面に対応する位置の周縁部の少なくとも一部及び前記表示器の側面に対応する位置の少なくとも一部を保持する保持部と、を備え、前記保持部には切欠き部及び他の開口部が形成され、前記枠部にはガイド部が設けられ、前記表示器の表示面の平面方向に沿って当該表示器を挿入する際に、前記ガイド部が、前記切欠き部を中心に前記表示面を含む平面から起き上がるように傾動させることで、前記ガイド部と前記他の開口部とで、前記表示器を挿入するための挿入部を構成することを特徴とする。
【０００８】
前記枠部は、前記表示面周縁部を覆う位置に、前記表示面周縁部を囲繞するリブ部を備えることを特徴とする。
【０００９】
前記リブ部は、前記平面方向において、前記切欠き部を超えない表示器側に配置されていることを特徴とする。
【００１０】
前記保持部材には、表示器を装着した状態で他の部材に係合して固定する係合部が形成されることを特徴とする。
【００１１】
本発明に係る携帯電子機器は、上記の保持部材と、前記保持部材に装着される表示器と、前記保持部材が内部に固定される筐体とを備えることを特徴とする。
【００１２】
前記表示器は、自発光素子型の表示器、もしくは、バックライトを備える表示器であることを特徴とする。
【００１３】
本発明に係る携帯電子機器は、前記筐体に内包され、前記表示器と異なる第二の表示器をさらに備え、前記第二の表示器の表示面の背面側には、板金部材が取付けられ、前記板金部材は、前記第二の表示器の取付けられる面の反対側の面に、固定爪が立設され、前記保持部材は、前記固定爪に取付けられて固定されることを特徴とする。
【発明の効果】
【００１４】
本発明によれば、表示器の表示面への塵埃の侵入を防止することが可能となるため、部品点数を減らし、携帯電子機器を薄く、小型化することができる効果がある。
【発明を実施するための最良の形態】
【００１５】
次に、この発明の実施形態を図面に基づいて説明する。
図１に示すように、携帯電子機器としての携帯電話機１は、いわゆる折り畳み式のものであり、テンキー２やカーソルキー３あるいはファンクションキー４等の複数の操作キーを備えた第二筐体６に、メイン表示ユニット７とサブ表示ユニット８とを表裏面に備えた第一筐体１０が、基部に設けたヒンジ部１１ａ，１１ｂ，１１ｃを介して開閉可能に軸支されたものである。
【００１６】
第二筐体６には、制御部（ＣＰＵ）等を備えた第二回路基板１９が内装され、先端に通話用のマイクロフォン５が設けられている。また、第二筐体６の複数の操作キーが露出された面と反対面には、第二回路基板１９と電気的に接続されるバッテリー５１が着脱可能に設けられている。また、第二筐体６のマイクロフォン５に対応して、第一筐体１０の先端に通話用のスピーカー９が設けられている。
【００１７】
図２に示すように、第一筐体１０は、枠状に形成された樹脂製のケース１２に樹脂製のカバー１３がケース１２を覆うように設けられ、これらケース１２とカバー１３とがネジ４４ａ，４４ｂ，４４ｃ，４４ｄによって締結される構成となっている。
ケース１２とカバー１３との間には、ケース１２に露出するようにメイン表示ユニット７が設けられている。メイン表示ユニット７の裏面には、メイン表示ユニット７の補強用の板金部材１４が設けられている。
さらに、板金部材１４上には、カバー１３に露出するようにサブ表示ユニット８が設けられ、サブ表示ユニット８の周囲を囲むように第一回路基板１５が設けられている。
【００１８】
ケース１２には、メイン表示ユニット７の表示面２９と対応する部分に開口部２２が設けられている。その開口部２２のヒンジ部１１ａ，１１ｂと反対側には、通話用のスピーカー９が内装されている。
ケース１２の開口部２２両側縁には、第一回路基板１５と係合する係合爪１７ａ，１７ｂ，１７ｃ，１７ｄが設けられている。この係合爪１７ａ，１７ｂ，１７ｃ，１７ｄは、開口部２２内にメイン表示ユニット７、板金部材１４、および、第一回路基板１５を積層した状態で嵌合し、固定するものである。
【００１９】
また、開口部２２の両側縁には、カバー１３と係合する凸部４３ａ，４３ｂ，４３ｃ，４３ｄが設けられ、それぞれの凸部４３ａ，４３ｂ，４３ｃ，４３ｄがそれぞれの係合爪１７ａ，１７ｂ，１７ｃ，１７ｄより中央寄りに配設されている。
これら凸部４３ａ，４３ｂ，４３ｃ，４３ｄの先端の開口部２２に向かう側（内側）には第一回路基板１５に係合するための係合部が、開口部２２の外側に向かう側（外側）には凹部が形成されている。
ケース１２の四隅には、ネジ孔１８ａ，１８ｂ，１８ｃ，１８ｄが設けられている。
ケース１２の基端両側には、第二筐体６に軸支されるヒンジ部１１ａ，１１ｂが突出して設けられ、ヒンジ部１１ａ，１１ｂの一方には、ヒンジ部材１６が内装されている。
【００２０】
図３に詳示するように、ヒンジ部材１６は、金属製の部材で、その内部に第一回路基板１５と第二回路基板１９とに跨って接続される同軸ケーブル６４が挿入されるものである。
ヒンジ部材１６は、筒状の円筒部６５と、その円筒部６５の一端側から外周に沿って軸方向に延出した延出部６６が設けられたもので、その延出部６６の一側から舌片部７５が突出して設けられている。
円筒部６５の他端側、つまり、第二筐体６のヒンジ部１１ｃ側には、ヒンジ部１１ｃに挿入されて回動可能に係合する回動軸部７４が設けられている。これら円筒部６５と回動軸部７４とに渡って挿通孔６３が設けられ、この挿通孔６３は、同軸ケーブル６４が挿通可能になっている。
【００２１】
舌片部７５の先端にはネジ孔７９が形成され、ネジ孔７９の周辺を囲むようにリブ７６が舌片部７５から立ち上げ形成されている。また、リブ７６は舌片部７５の一側に沿って突出している。
さらに、舌片部７５と円筒部６５との間を跨ぐようにリブ７８が舌片部７５の他側に設けられている。このリブ７６とリブ７８との間、および、延出部６６に同軸ケーブル６４が配索されるようになっている。
【００２２】
メイン表示ユニット７は、ガラスで挟持された構造の液晶ディスプレイであるメイン表示器９０と、メイン表示器９０の周囲を囲むように設けられた枠状で樹脂製のホルダー２０で構成され、メイン表示器９０の表示面２９がケース１２の開口部２２に露出するように配置されている。
メイン表示ユニット７の一側には、第一回路基板１５と接続されるフレキシブル基板（ＦＰＣ）２１が接続されている。また、ホルダー２０の両側には、メイン表示ユニット７の裏面に配設された板金部材１４と係合する係合爪２３ａ，２３ｂ，２３ｃ，２３ｄ，２３ｅが設けられている。
【００２３】
図４に詳示するように、板金部材１４は、メイン表示ユニット７の捩れ等を防止する補強材であって、外形状が四角形で、この四角形の平面部２５の各辺から側壁２６ａ，２６ｂ，２６ｃ，２６ｄを直角に折り曲げるようにして一枚の板金から形成されたものである。
平面部２５の先端側には軽量化のための孔２７ａ，２７ｂが設けられ、基部側には、サブ表示ユニット８を収納する収納凹部２８が設けられている。
収納凹部２８には、先端側の両隅と基端側の中央寄りにサブ表示ユニット８を固定するための固定爪３２ａ，３２ｂ，３２ｃ，３２ｄが板金を曲げることにより設けられ、収納凹部２８の中央から略先端側寄りに軽量化のための孔３４が設けられている。
【００２４】
収納凹部２８の両側に近接する平面部２５上には、四つの凸部６９ａ，６９ｂ，６９ｃ，６９ｄが設けられている。これら凸部６９ａ，６９ｂ，６９ｃ，６９ｄは、第一回路基板１５上に設けられた基準電位パターンに導通可能に当接するものである。
また、平面部２５の基端両側には、平面部２５から突出する突出部６８ａ，６８ｂが設けられている。突出部６８ａ，６８ｂは先端が平面円形状で、その平面円形状の略中心にネジ孔６７ａ，６７ｂが形成されている。
板金部材１４の側壁２６ａ，２６ｂ，２６ｃ，２６ｄには、メイン表示ユニット７のホルダー２０に設けられた係合爪２３ａ，２３ｂ，２３ｃ，２３ｄ，２３ｅと対応する位置に係合孔３５ａ，３５ｂ，３５ｃ，３５ｄ，３５ｅがそれぞれ設けられている。
【００２５】
第一回路基板１５は、メイン表示ユニット７とサブ表示ユニット８とに給電等を行うものである。この第一回路基板１５の基部側には、サブ表示ユニット８の外形状に対応する部分が開口された開口部３６が設けられ、先端にはケース１２のヒンジ部１１ａ，１１ｂ側とは反対方向に向かって突出する突出部８０ａ，８０ｂが設けられたものである。
この開口部３６の突出部８０ａ，８０ｂ側には、サブ表示ユニット８に一端が接続されているフレキシブル基板（ＦＰＣ）３７の他端を接続するコネクタ３８が設けられている。
また、メイン表示ユニット７に一端が接続されているフレキシブル基板２１と対応する位置には、フレキシブル基板２１の他端と接続するコネクタ３９が設けられている。
さらに、開口部３６の前方右側には、同軸ケーブル６４と接続されるコネクタ７０が設けられている。
【００２６】
同軸ケーブル６４は、細線同軸ケーブルと呼ばれる非常に細いケーブル複数で構成されており、この中の少なくとも一本は、その一端が第二回路基板１９の基準電位に接続している基準電位ラインが含まれている。
また、基準電位ラインの他端は、コネクタ７０を介して第一回路基板１５に接続され、これにより基準電位ラインは、基準電位を第一回路基板１５と第二回路基板１９の間で導通させている。そして、同軸ケーブル６４には、操作、表示、さらに、音声などの信号を供給するラインも含まれている。
【００２７】
また、第一回路基板１５の両側には、ケース１２の凸部４３ａ，４３ｂ，４３ｃ，４３ｄに対応する位置に切欠き部４２ａ，４２ｂ，４２ｃ，４２ｄが設けられている。
この切欠き部４２ａ，４２ｂ，４２ｃ，４２ｄは、ケース１２の凸部４３ａ，４３ｂ，４３ｃ，４３ｄの内側の係合部に係止されるものである。
ここで、メイン表示ユニット７のフレキシブル基板２１の配索位置と対応する切欠き部４２ｃは、フレキシブル基板２１が配索可能な大きさを有している。
第一回路基板１５の四隅には、ケース１２の係合爪１７ａ，１７ｂ，１７ｃ，１７ｄに対応する位置に切欠き部４５ａ，４５ｂ，４５ｃ，４５ｄが設けられ、第一回路基板１５とケース１２とを係合するようになっている。
【００２８】
図５に示すように、サブ表示ユニット８は、ガラスで挟持された構造の液晶ディスプレイであるサブ表示器９１とサブ表示器９１を覆うように形成されたゴム製のホルダー３１とで構成されている。
図６（ａ），図６（ｂ），図６（ｃ）、図７に示すように、ホルダー３１は、サブ表示器９１の表面６０にある表示面３０と対応する部分に開口部３３が設けられた枠部４０に、サブ表示器９１の側面６１と裏面６２とを覆う保持部４１が設けられ、一体成型されたものである。
【００２９】
枠部４０の開口部３３周縁には、ホルダー３１とカバー１３の内壁との間を密閉するためのリブ部４６が設けられている。
ホルダー３１の先端側と基端側には、板金部材１４に設けられた固定爪３２ａ，３２ｂ，３２ｃ，３２ｄと対応する位置に固定孔４７ａ，４７ｂ，４７ｃ，４７ｄが保持部４１を貫通して形成されている。
保持部４１に設けられた固定孔４７ａ，４７ｂ，４７ｃ，４７ｄ周辺には、突出部４９ａ，４９ｂ，４９ｃ，４９ｄが固定孔４７ａ，４７ｂ，４７ｃ，４７ｄを囲むように形成されている。
【００３０】
保持部４１のサブ表示器９１の受け入れ側には、保持部４１を切欠くように挿入部５２が形成されている。挿入部５２は、サブ表示器９１に接続されているフレキシブル基板３７が配設可能な形状である。
また、保持部４１の裏面６２側には、開口部５０が挿入部５２に連なるように形成されている。
開口部５０の両側に位置する保持部４１に、切欠き部５４ａ，５４ｂが形成され、この切欠き部５４ａ，５４ｂによって開口部５０に対向する位置を覆う枠部４０は傾動可能な状態となる。この開口部５０に対向する位置を覆う枠部４０は、ガイド部５５として構成されている。
【００３１】
したがって、図８に示すように、サブ表示器９１をホルダー３１にセットする場合には、ホルダー３１のガイド部５５を切欠き部５４ａ，５４ｂを中心にして枠部４０の上方に向かって（矢印Ｂ方向）傾動させた状態で、サブ表示器９１をサブ表示器９１のフレキシブル基板３７が接続された側とは反対側からホルダー３１の挿入部５２に向かって（矢印Ａ方向）挿入する。
ここで、サブ表示器９１はガイド部５５に沿って案内されながらスムーズに挿入される。
【００３２】
サブ表示器９１をホルダー３１にセットした後、ガイド部５５は、復元力が作用して水平な状態に戻り、サブ表示器９１の表示面３０を除く表面６０が全て覆われる。
この際、保持部４１によってサブ表示器９１の側面６１もフレキシブル基板３７が接続された部分を除いて全て覆われた状態となる。つまり、サブ表示器９１とフレキシブル基板３７との接続部７２の周囲は、保持部４１によって覆われることとなる。
これにより、サブ表示器９１のほぼ全周、さらには、サブ表示器９１の裏面６２もが保持部４１にて覆われ、実際の表示面以外から、サブ表示器９１からの光が外部に漏れることがなくなる。
尚、ホルダー３１の色は、サブ表示器９１の表示面３０周辺への光漏れを考慮して光を透過しにくい黒であることが望ましい。
【００３３】
図９に示すように、ホルダー３１にサブ表示器９１がセットされたサブ表示ユニット８を板金部材１４に向かってセットし（矢印Ｃ）、ホルダー３１の固定孔４７ａ，４７ｂ，４７ｃ，４７ｄを板金部材１４の固定爪３２ａ，３２ｂ，３２ｃ，３２ｄにそれぞれ圧入して固定する。
【００３４】
図２に示すように、カバー１３には、サブ表示器９１の表示面３０に対応する部分に窓２４が設けられている。
カバー１３の基端両側には、ケース１２のヒンジ部１１ａ，１１ｂを覆うヒンジカバー５６ａ，５６ｂが突出して設けられ、カバー１３の両側には、ケース１２の凸部４３ａ，４３ｂ，４３ｃ，４３ｄに対応する位置に、凸部４３ａ，４３ｂ，４３ｃ，４３ｄに係合する係合突起５７ａ，５７ｂ，５７ｃ，５７ｄが設けられている。
カバー１３の四隅には、ネジ４４ａ，４４ｂ，４４ｃ，４４ｄに対応する位置に、ネジ部５８ａ，５８ｂ，５８ｃ，５８ｄが設けられている。
【００３５】
これにより、カバー１３は、係合突起５７ａ，５７ｂ，５７ｃ，５７ｄがケース１２の凸部４３ａ，４３ｂ，４３ｃ，４３ｄと係合し、且つ、ネジ部５８ａ，５８ｂ，５８ｃ，５８ｄがネジ４４ａ，４４ｂ，４４ｃ，４４ｄによってケース１２と締結することで、確実にケース１２上を閉塞するようになっている。
また、板金部材１４の側壁２６ａ，２６ｂ，２６ｃ，２６ｄに設けられた係合孔３５ａ，３５ｂ，３５ｃ，３５ｄ，３５ｅと、メイン表示ユニット７のホルダー２０に設けられた係合爪２３ａ，２３ｂ，２３ｃ，２３ｄ，２３ｅとによって板金部材１４にメイン表示ユニット７が係合され、一体となる。
【００３６】
さらに、一体となったメイン表示ユニット７と板金部材１４とに第一回路基板１５が被覆し、第一回路基板１５の切欠き部４５ａ，４５ｂ，４５ｃとケース１２の係合爪１７ａ，１７ｂ，１７ｃ，１７ｄとによって、ケース１２の開口部２２内にメイン表示ユニット７、板金部材１４、および、第一回路基板１５が積層された状態で嵌合され、固定される。
そして、板金部材１４の基端両側に設けられた突出部６８ａ，６８ｂとヒンジ部材１６の延出部６６とが、ケース１２とカバー１３と共に、ネジ４４ａ，４４ｄによって締結固定され、第一回路基板１５の基準電位パターンに導通可能に当接された板金部材１４とヒンジ部材１６とが導通可能に接続される。
【００３７】
したがって、図１０、図１１（ａ），図１１（ｂ）に示すように、第一筐体１０に内装されたサブ表示ユニット８は、カバー１３と板金部材１４との間に挟持された状態となり、カバー１３はネジ４４ａ，４４ｂ，４４ｃ，４４ｄ等によってケース１２と締結固定される。
これにより、サブ表示器９１を覆うように形成されたホルダー３１の枠部４０はカバー１３に押圧され、この枠部４０は圧縮変形した状態となる。つまり、サブ表示器９１の表面６０とカバー１３との間の隙間を完全に密閉した状態となる。（図１０（ｂ）中Ｄ部参照）。
【００３８】
したがって、上述の実施形態によれば、ホルダー３１の枠部４０が圧縮変形されることでケース１２とサブ表示器９１との隙間が密閉され、ケース１２とサブ表示器９１との隙間からの塵埃の侵入を防止することが可能となるため、ケース１２とサブ表示器９１との間の空間を縮小できる効果がある。
また、保持部４１の裏面６２側に開口部５０を設け、その開口部５０の両側に位置する保持部４１に切欠き部５４ａ，５４ｂを設け、ホルダー３１にガイド部５５を形成することでサブ表示器９１をガイド部５５に沿ってスライドして挿入することができるため、ホルダー３１へのサブ表示器９１の組み込みが容易となる効果がある。
【００３９】
さらに、ホルダー３１の保持部４１には、サブ表示器９１に接続されたフレキシブル基板３７を配設可能な挿入部５２が形成され、フレキシブル基板３７の配設を容易にすることが可能となるため、第一回路基板１５上のコネクタ３９の配索が容易となる効果がある。
そして、ゴム製の部材で一体成型されたホルダー３１がサブ表示器９１の表示面３０周縁と側面６１と裏面６２とをほぼ覆っているため、落下等による衝撃を緩和することができる効果がある。
【００４０】
また、板金部材１４に固定爪３２ａ，３２ｂ，３２ｃ，３２ｄを設け、ホルダー３１に固定孔４７ａ，４７ｂ，４７ｃ，４７ｄを設け、ホルダー３１を板金部材１４に圧入してサブ表示ユニット８を固定することで、サブ表示ユニット８の設置スペースを縮小して位置決め、固定することが可能となるため、第一回路基板１５の実装面積を有効に使用することができる効果がある。
さらに、第一回路基板１５やケース１２やカバー１３にサブ表示ユニット８を固定するための加工が何ら必要なくなる。
【００４１】
ただし、第一回路基板１５の開口部３６の内側に装着される保持部４１の側面に当接する突出を複数設け、これらの突出により保持部４１を挟持するような構成としてもよい。
そして、サブ表示器９１とフレキシブル基板３７とが接続された接続部７２の表示面３０側がガイド部５５によって覆われているため、外部からの静電気対策に効果を奏することができる。
また、サブ表示器９１を挿入する開口部５０が保持部２０に設けられるが、この開口部５０を用いてフレキシブル基板（ＦＰＣ）２１がコネクタ３８に接続されてある程度の弾性をもって突っ張るため、開口部５０からサブ表示器９１が抜け出ることもない。
【００４２】
尚、この発明は上述した実施形態に限られるものではなく、メイン表示器９０やサブ表示器９１は、ガラスで挟持された構造の液晶ディスプレイである場合について説明したが、ＥＬ（ＥＬ：Ｅｌｅｃｔｒｏ  Ｌｕｍｉｎｅｓｃｅｎｃｅ）ディスプレイとしてもよい。
また、本実施形態ではサブ表示器９１にホルダー３１を用いた場合について説明したが、メイン表示器９０にホルダー３１と同様の構成をしたホルダーを用いてもよい。
さらに、本実施形態では折り畳み式の携帯電話機を例にして説明したが、回転タイプやスライドタイプの携帯電話機、さらにはストレートタイプの携帯電話機にも適用可能である。
【００４３】
また、上記実施形態ではメイン表示ユニット７にフレキシブル基板（ＦＰＣ）２１が接続され、サブ表示器９１にフレキシブル基板（ＦＰＣ）３７が接続された場合について説明したがフレキシブル基板（ＦＰＣ）２１，３７に代えて他のフレキシブル基板（ＦＦＣ）や同軸ケーブルおよびフラットケーブルが接続された場合であっても同様の効果を奏することができる。
さらに、上記実施形態では第一回路基板１５と第二回路基板１９とに跨って同軸ケーブル６４が接続された場合について説明したが、同軸ケーブル６４に代えてフレキシブル基板（ＦＦＣ，ＦＰＣ）およびフラットケーブルが接続された場合であっても同様の効果を奏することができる。
また、上記実施形態ではサブ表示器９１にゴム製の部材で一体成型したホルダー３１を用いた場合について説明したが、弾性を有する材料、すなわち、スポンジや軟質樹脂などにより一体成型したホルダーとしてもよい。
【図面の簡単な説明】
【００４４】
【図１】本発明の実施形態における折り畳み式携帯電話機の斜視図である。
【図２】本発明の実施形態における第一筐体の構成分解図である。
【図３】本発明の実施形態におけるヒンジ部材の斜視図である。
【図４】本発明の実施形態における板金部材の平面図である。
【図５】本発明の実施形態におけるサブ表示ユニットの構成斜視図である。
【図６】本発明の実施形態におけるホルダーを示し、（ａ）は表面図、（ｂ）は側面図、（ｃ）は裏面図である。
【図７】本発明の実施形態における図６（ａ）のＡ−Ａ線に沿う断面図である。
【図８】本発明の実施形態におけるサブ表示器のホルダーへの組み込み状況を示す側面図である。
【図９】本発明の実施形態におけるサブ表示ユニットの板金部材への組み込み状況を示す斜視図である。
【図１０】本発明の実施形態における第一筐体の上面図である。
【図１１】本発明の実施形態における第一筐体を示し、（ａ）は図１０のＢ−Ｂ線に沿う断面図、（ｂ）は（ａ）のＣ部拡大断面図である。
【符号の説明】
【００４５】
１…携帯電話機、６…第二筐体、７…メイン表示ユニット、８…サブ表示ユニット、１０…第一筐体、１４…板金部材、３０…表示面、３１…ホルダー（保持部材）、３２ａ…固定爪、３２ｂ…固定爪、３２ｃ…固定爪、３２ｄ…固定爪、３３…開口部、４０…枠部、４１…保持部、４７ａ…固定孔（係合部）、４７ｂ…固定孔（係合部）、４７ｃ…固定孔（係合部）、４７ｄ…固定孔（係合部）、５０…開口部（他の開口部）、５２…挿入部、５５…ガイド部、６０…表面、６１…側面、６２…裏面（背面）、９０…メイン表示器（第二の表示器）、９１…サブ表示器（表示器）
【図１】
0005122076.tif 000002
【図２】
0005122076.tif 000003
【図３】
0005122076.tif 000004
【図４】
0005122076.tif 000005
【図５】
0005122076.tif 000006
【図６】
0005122076.tif 000007
【図７】
0005122076.tif 000008
【図８】
0005122076.tif 000009
【図９】
0005122076.tif 000010
【図１０】
0005122076.tif 000011
【図１１】
0005122076.tif 000012